(57)【要約】      （修正有）【課題】新型の環境にやさしい仮囲いを提供する。【解決手段】仮囲いは、少なくとも仮囲いユニットを含み、各仮囲いユニットは、少なくとも４本の立柱１と、少なくとも水平層フレームを含む。水平層フレームは４本の横梁２からなり、２本の隣り合う立柱１の間に１本の横梁２を設け、横梁２の両端と２本の立柱１は、いずれも二つの接合部材により着脱可能に接合される。各立柱１の底端は、底板を設け、底板は地面に着脱可能に接合される。水平層フレームは、層板及び釣合い重り７が設けられる。材料使用量が少なく、組み立ておよび取り外しが簡便で、材料が繰り返し使用可能であり、環境にやさしいというメリットを有する。【選択図】図１
0003206360.tif 000002
【実用新案登録請求の範囲】
【請求項１】
少なくとも仮囲いユニットを含み、
各仮囲いユニットは、少なくとも４本の立柱と少なくとも水平層フレームとを含み、
前記水平層フレームは４本の横梁からなり、
２本の隣り合う立柱の間に１本の横梁を設け、横梁の両端と２本の立柱は、いずれも接合部材により着脱可能に接合され、
各立柱の底端は、底板を設け、前記底板は地面に着脱可能に接合され、
水平層フレームは、層板及び釣合い重りが設けられる
ことを特徴とする新型の環境にやさしい仮囲い。
【請求項２】
前記接合部材は、平板であり、接合部材に複数の接合ネジ孔を設け、
横梁の両端は、それぞれ接合部材が垂直に固設され、
接合部材と立柱はボルトにより分離可能に接合されることを特徴とする請求項１記載の新型の環境にやさしい仮囲い。
【請求項３】
前記横梁及び立柱はいずれもＨ型鋼からなることを特徴とする請求項１又は２記載の新型の環境にやさしい仮囲い。
【請求項４】
前記横梁の両端部の上、下表面はそれぞれ三角形強化リブを設け、前記強化リブの底面と横梁は接合され、強化リブ内部は接合部材と接合されることを特徴とする請求項１又は２に記載の新型の環境にやさしい仮囲い。
【請求項５】
前記立柱は４本であり、少なくとも水平フレームを設け、
前記水平フレームの層板に釣合い重りが設けられ、層板の安定性を向上させることを特徴とする請求項１記載の新型の環境にやさしい仮囲い。
【請求項６】
隣り合う２本の立柱の底部との間に釣合い重りが設けられ、底板は釣合い重りの下方に位置することを特徴とする請求項５記載の新型の環境にやさしい仮囲い。
【考案の詳細な説明】
【技術分野】
【０００１】  本考案は、建築現場に用いる設備分野に関し、特に工事現場において繰り返し使用可能な仮囲い／天蓋付き仮囲いに関する。
【背景技術】
【０００２】  家屋建築、外壁工事などの工事現場において、常に人の往来が行われているので、危険を避けるために、通常仮囲いを設置する又は天蓋付き歩行者用通路を設けて歩行者に使用させることにより、高所からの落下物により歩行者にけがを負わせることを防止する。そして、この種の仮囲いまたは歩行者用通路は、一般的には鉄骨構造アセンブリからなる。鉄骨構造において、梁と柱の接合には通常ピン接合（Ｐｉｎ  ｃｏｎｎｅｃｔｉｏｎ）とも称される柔軟性接合、セミ‐リジッド接合（ｓｅｍｉ−ｒｉｇｉｄ  ｃｏｎｎｅｃｔｉｏｎ）とも称される半剛性接合、リジッド接合（ｒｉｇｉｄ  ｃｏｎｎｅｃｔｉｏｎ）とも称される剛性接合の３種類の方法が採用される。剛性構造フレームの従来の分析と設計において、分析設計の過程を簡略化するために、梁柱接合は、ピン接合（Ｐｉｎ  ｃｏｎｎｅｃｔｉｏｎ）が理想的であり、または剛性接合（Ｒｉｇｉｄ  ｃｏｎｎｅｃｔｉｏｎ）が完全とみなされる。現在の仮囲い／天蓋付き歩行者用通路は、設計上梁と柱（Ｈ型鋼）の接合は、剛性接合（Ｒｉｇｉｄ  ｃｏｎｎｅｃｔｉｏｎ）と仮定すると、溶接により接合され、また横梁と立柱との間に強化リブプレートを加えて剛性接合を達成する。安定性を強化するために、コンクリート（バランスウェート）を加えて、使用後廃棄される。
【考案の概要】
【考案が解決しようとする課題】
【０００３】  本考案の目的は、立柱と横梁との間に着脱可能に接合される仮囲いを提供することであり、仮囲いを構成する材料は繰り返し使用可能であり、組み立て、取り外しが簡便である。
【課題を解決するための手段】
【０００４】  上記目的を実現するために、本考案が採用する技術方案は、新型の環境にやさしい仮囲いであり、前記仮囲いは、少なくとも仮囲いユニットを含み、各仮囲いユニットは、少なくとも４本の立柱と、少なくとも水平層フレームを含む。前記水平層フレームは４本の横梁からなる。２本の隣り合う立柱の間に１本の横梁を設け、横梁の各端と２本の立柱は、いずれも２つの接合部材により着脱可能に接合される。各立柱の底端は、底板を設け、前記底板は地面と着脱可能に接合される。水平層フレームは層板及び釣合い重りが設けられる。【０００５】  好ましくは、前記接合部材が平板であり、接合部材に複数の接合ネジ孔を設け、横梁の両端はそれぞれ垂直に接合部材が固設され、接合部材と立柱は、ボルトにより分離可能に接合される。【０００６】  好ましくは、前記横梁及び立柱はいずれもＨ型鋼からなる。【０００７】  前記横梁の両端部の上、下表面はそれぞれ三角形強化リブを設け、前記強化リブの底面と横梁は接合され、強化リブ内部は接合部材と接合される。【０００８】  好ましくは、前記立柱は４本であり、２つの水平層フレームを設け、水平層フレーム上の層板に釣合い重りを設けて、層フレームの安定性を向上させる。【０００９】  隣り合う２本の立柱の底部の間に釣合い重りを設け、底板は釣合い重りの下方に位置する。
【考案の効果】
【００１０】  本考案の有益な技術効果は、以下のとおりである。本考案は、半剛性接合（ｓｅｍｉ−ｒｉｇｉｄ  ｃｏｎｎｅｃｔｉｏｎ）の計算方法を採用し、従来の剛性接合（ｒｉｇｉｄ  ｃｏｎｎｅｃｔｉｏｎ）の計算と比較してさらに正確である。鋼鉄強度が高いために、従来の剛性接合（ｒｉｇｉｄ  ｃｏｎｎｅｃｔｉｏｎ）の計算方法では不正確である。故に、材料数量を見積もる場合、通常実際に必要な量よりも多くなる。しかも従来の方法で使用する材料は繰り返し使用することができず、非常に無駄となる。一方、本考案が採用する半剛性接合（ｓｅｍｉ−ｒｉｇｉｄ  ｃｏｎｎｅｃｔｉｏｎ）の計算方法では、実際に使用する必要な材料数量が更に正確に算出できる。そして、仮囲いは、必要に応じて層フレームまたは重りを増加することにより安定性を向上できる。【００１１】  各仮囲いユニットは、４本の立柱を採用し、４本の横梁からなる水平層フレームを設置し、水平層フレームに層板及び釣合い重りを配置し、横梁と立柱との間に平板及びネジを接合して着脱可能に接合される。立柱の底端は底板とボルトにより地面に固定され、使用時、工事現場の大きさに基づき、複数の仮囲いユニットを工事現場で組み立て、不使用時、立柱と横梁を取り外すだけでよい。従来の技術と比較して、本考案は材料が少なく、組み立て及び取り外しが簡便であり、材料は繰り返し使用可能であるので、環境にやさしいというメリットを有する。
【図面の簡単な説明】
【００１２】
【図１】本考案の正面図である。
【図２】本考案の左側面図である
【図３】本考案の一部拡大図である。
【図４】本考案の接続部材と横梁一端が接合された図である。
【考案を実施するための形態】
【００１３】  本技術分野における通常の知識を有するものが本考案をより理解できるように、以下において図面を合わせて実施例により本考案について詳細に説明する。
【実施例】
【００１４】  図１〜３に、一又は複数の仮囲いユニットからなる新型の環境にやさしい仮囲い／天板付き歩行者用通路を示す。仮囲いユニットは、少なくとも４本の立柱１と、少なくとも水平層フレームを含む。前記水平層フレームは４本の横梁２からなる。本実施例において、立柱の数量は４本であり、水平層フレームの層数は２とする。２本の隣り合う立柱１の間に１本の横梁２を設け、横梁２の各端と２本の立柱は、いずれも２つの接合部材３により着脱可能に接合される。４本の立柱１は固定されたのち、一つの方形空間を確定する。隣り合う２本の立柱は非対角線上の２本の立柱である。【００１５】  図４に示すように、前記接合部材３は、金属平板であり、接合部材に複数の接合ネジ孔３０１を設け、横梁２の両端に接合部材３をそれぞれ垂直に固設する。【００１６】  接合部材３と立柱１は、ボルト４により分離可能に接合される。これにより、横梁と立柱がともに固定され、更には取り外しが簡便であり、横梁と立柱の繰り返し使用が実現される。【００１７】  接合部材３に複数の接合ネジ孔３０１が設けられ、これと接合される立柱１の対応位置に複数の接合ネジ孔が設けられる。その目的は、接合部材の立柱における高度が調整できる以外に、更に横梁の高度を調整し、状況に応じて、接合ボルトの数量も増加でき、これにより、横梁と立柱との間の接合強度が向上する。【００１８】  前記横梁２と立柱１はいずれもＨ型鋼からなる。【００１９】  前記横梁２の両端部の上、下表面はそれぞれ三角形強化リブ８を設け、前記強化リブの底面と横梁は接合され、強化リブ内部は接合部材と接合される。【００２０】  各立柱１の底端は、底板５を設け、前記底板５は地面と着脱可能に接合される。さらに、立柱１の地面における取り外し及び組み立てが簡便になる。【００２１】  水平層フレームは層板６及び釣合い重り７が設けられる。層板６は即ち、仮囲い又は歩行者用通路の天蓋となし、工事中の高所からの落下物による歩行者への傷害を防止する。釣合い重り７は、層板を水平層フレームに圧設する。【００２２】  隣り合う２本の立柱１の底部の間に釣合い重り７を設け、底板５は釣合い重りの下方に位置する。即ち、底板から露出した立柱の底端の外の部分は釣合い重り７の下方に位置する。【００２３】  実施例により本考案を説明したが、本分野において通常の知識を有する者は、本考案は様々な変更及び変化を有し、本考案の本質を逸脱しないことが理解できる。特許請求の範囲は、これら変更及び変化による本考案を逸脱しない本質を含む。
【図１】
0003206360.tif 000003
【図２】
0003206360.tif 000004
【図３】
0003206360.tif 000005
【図４】
0003206360.tif 000006